【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
加熱されたガラスシートを成形モールドに対して位置決めするための方法において、
加熱されたガラスシートを、成形モールド上の垂直方向に整列された位置に向かう経路に沿った搬送方向において、ロールコンベア上で減速コンベア速度で水平方向に搬送するステップと、
一対の位置決め器を、前記搬送されるガラスシートの経路内の横方向に離間された位置で、および前記減速コンベア速度より遅い減速速度で、前記搬送方向に沿って移動させるステップであって、その結果、前記搬送されるガラスシートが、前記成形モールドに対する設計回転位置からの回転を修正すべく、前記ロールコンベア上で前記ガラスシートを回転させるために十分な時間前記位置決め器と接触するステップと、
次に、前記コンベアの速度と前記位置決め器の速度が相互に同じになるまで前記コンベアの速度を減速し続け、および前記位置決め器の速度を加速し、続いて前記コンベアの速度に対する前記位置決め器の相対速度を上げ続け、それにより前記位置決め器が、前記ガラスシートが移動して成形のため前記成形モールドと垂直方向に整列するために、前記搬送されるガラスシートと接触せずに移動するステップと、
を含んでおり、
前記コンベアの速度と前記位置決め器の速度が相互に同じになった後、前記コンベアの速度が減速し続け、前記位置決め器の速度が、前記位置決め器が前記ガラスシートとの接触から離れるように移動する前よりも、より高い加速比率で加速し続けることを特徴とする方法。
【請求項２】
請求項１に記載の加熱されたガラスシートを成形モールドに対して位置決めするための方法において、前記コンベアの速度を減速し続け、および前記位置決め器の速度を加速する前、前記コンベアの速度および前記位置決め器の速度が相互に同じ比率で減速されることを特徴とする方法。
【請求項３】
請求項１に記載の加熱されたガラスシートを成形モールドに対して位置決めするための方法において、前記位置決め器が、前記ガラスシートが移動して前記成形モールドと垂直方向に整列する位置から前記搬送方向に沿った所定の距離だけ上流の位置で、前記ガラスシートと接触せずに移動することを特徴とする方法。
【請求項４】
請求項１に記載の加熱されたガラスシートを成形モールドに対して位置決めするための方法において、前記成形モールドが、開放中心部を有する周縁型成形モールドであり、下流部分を含み、前記下流部分に隣接して、前記位置決め器の移動は、前記周縁型成形モールドの前記開放中心内で起きることを特徴とする方法。
【請求項５】
請求項４に記載の加熱されたガラスシートを成形モールドに対して位置決めするための方法において、前記ガラスシートと接触せずに移動した後、前記位置決め器が下に移動し、前記ガラスシートが前記位置決め器の上を、前記ガラスシートの周縁が上に移動し、前記周縁型成形モールドと整列する位置に向かって移動することを特徴とする方法。
【請求項６】
請求項５に記載の加熱されたガラスシートを成形モールドに対して位置決めするための方法において、前記周縁型成形モールドが、前記ガラスシートの成形のため、前記移動するガラスシートを前記ロールコンベアから持ち上げるための時間および速度で上に移動されることを特徴とする方法。
【請求項７】
請求項６に記載の成形のため加熱されたガラスシートを位置決めする方法において、前記周縁型成形モールドは、前記位置決め器が前記ガラスシートと接触せずに移動したことに続き、前記搬送方向に沿って所定の距離だけ前記ガラスシートが搬送された後、前記ロールコンベアから前記ガラスシートを持ち上げるための時間および速度で上に移動されることを特徴とする方法。
【請求項８】
請求項５に記載の加熱されたガラスシートを成形モールドに対して位置決めするための方法において、前記上部モールドが下に移動され、前記ガラスシートが前記成形モールドと前記上部モールドの間でプレス成形されることを特徴とする方法。
【請求項９】
請求項１に記載の加熱されたガラスシートを成形モールドに対して位置決めするための方法において、前記加熱されたガラスシートが、搬送されて前記成形モールドと整列する前に予備成形されることを特徴とする方法。
【請求項１０】
請求項１に記載の加熱されたガラスシートを成形モールドに対して位置決めするための方法において、前記加熱されたガラスシートが平らな形状で搬送されて前記成形モールドと整列することを特徴とする方法。
【請求項１１】
成形のために加熱されたガラスシートを位置決めするための装置において、
加熱されたガラスシートを、加熱炉から外側へおよび前記加熱炉から離して搬送方向に沿った経路で減速コンベア速度で水平方向に搬送するためのロールコンベアと、
前記ロールコンベアを駆動するコンベア駆動装置と、
上向き凹状湾曲形状を有する上向き成形モールドと、
前記搬送されるガラスシートの前記経路において前記搬送方向に沿った位置で横方向に離間された一対の位置決め器と、
前記一対の位置決め器を前記搬送方向に沿って移動させる位置決め器駆動装置と、
制御器であって、前記コンベア駆動装置および前記位置決め器駆動装置を：（ａ）前記成形モールド上の垂直方向に整列された位置に向かう経路に沿った搬送方向において、減速コンベア速度で前記ロールコンベア上で前記加熱されたガラスシートを水平方向に搬送し、（ｂ）前記コンベア速度よりも遅い減速速度で前記搬送方向に沿って前記一対の位置決め器を移動させ、その結果、前記搬送されるガラスシートが、前記成形モールドに対する設計回転位置からの回転を修正すべく、前記ロールコンベア上で前記ガラスシートの回転調整を与えるために十分な時間前記位置決め器と接触し、（ｃ）前記コンベアの速度及び前記位置決め器の速度が相互に同じになるまで、前記搬送速度を減速させ続け且つ前記位置決め器の速度を加速させ続け、その後、前記搬送速度に対する前記位置決め器の相対速度を増加させ続け、これにより、前記位置決め器が、前記コンベアの速度及び前記搬送されるガラスシートよりも速く移動し、前記位置決め器が、前記ガラスシートとの接触から離れるように移動し、前記ガラスシートが前記成形モールド上に移動し前記成形モールドと垂直方向に整列することに備え、（ｄ）前記コンベアの速度及び前記位置決め器の速度が相互に同じなった後、前記搬送速度に対する前記位置決め器の相対速度の増加が、前記コンベアの速度を減速させ続け、前記位置決め器が前記ガラスシートとの接触から離れるように移動する前よりも高い加速比率で前記位置決め器の速度を加速させることによって与えられる、ように操作する制御器と、
を含むことを特徴とする装置。
【請求項１２】
請求項１１に記載の成形のために加熱されたガラスシートを位置決めするための装置において、前記制御器が、前記コンベア駆動装置および前記位置決め器駆動装置を、前記位置決め器が前記コンベア速度より速く移動する前、前記コンベアの速度および前記位置決め器の速度が相互に同じ比率で減速されるように操作することを特徴とする装置。
【請求項１３】
請求項１１に記載の成形のために加熱されたガラスシートを位置決めするための装置において、前記成形モールドが、開放中心と、前記ガラスシートの周縁と一致する周縁形状とを有し、前記成形モールドが下流部分を有し、前記一対の位置決め器がその下流部分に隣接して前記成形モールドの前記開放中心内に取り付けられ、およびモールドアクチュエータが、前記移動するガラスシートを成形のため前記コンベアから持ち上げるために前記成形モールドを上に移動させることを特徴とする装置。
【請求項１４】
請求項１３に記載の加熱されたガラスシートを位置決めするための装置がさらに、前記成形モールドと協働して前記ガラスシートをプレス成形する上部モールドを含むことを特徴とする装置。
【請求項１５】
請求項１１に記載の成形のために加熱されたガラスシートを位置決めするための装置において、前記ロールコンベアが、予め成形された加熱済みガラスシートを搬送するための、上向き凹状搬送形状を提供するロールを含むことを特徴とする装置。
【請求項１６】
請求項１１に記載の成形のために加熱されたガラスシートを位置決めするための装置において、前記ロールコンベアが、成形のため加熱された平らなガラスシートを搬送するための平らな搬送面を提供するロールを含むことを特徴とする装置。